(57)【要約】 【課題】２Ｄ画像と比べ、３Ｄ画像の表示を行ったときの輝度の低下を起こさないバックライトモジュール及びディスプレイ装置の提供を目的とする。【解決手段】上記課題を達成するため、ディスプレイ装置の表示パネルに用いるバックライトモジュールであって、前記バックライトモジュールは、前記表示パネルに光を供給する発光ユニット、発光ユニットからの光量を調節する制御ユニットを含み、２Ｄ画像表示モード、３Ｄ画像表示モード、２Ｄ／３Ｄ混合画像表示モードのいずれかの表示モードに応じて、前記制御ユニットにより前記発光ユニットからの供給光量を任意に制御することを特徴としたバックライトモジュール等を採用する。また、これらのバックライトモジュールを用いたディスプレイ装置を提供する。【選択図】図１
2006228723.tif 000002
【特許請求の範囲】
【請求項１】
ディスプレイ装置の表示パネルに用いるバックライトモジュールであって、
前記バックライトモジュールは、前記表示パネルに光を供給する発光ユニット、発光ユニットからの光量を調節する制御ユニットを含み、
２Ｄ画像表示モード、３Ｄ画像表示モード、２Ｄ／３Ｄ混合画像表示モードのいずれかの表示モードに応じて、前記制御ユニットにより前記発光ユニットからの供給光量を任意に制御することを特徴としたバックライトモジュール。
【請求項２】
前記発光ユニットは、複数の発光素子を含み、
２Ｄ画像表示モード、３Ｄ画像表示モード、２Ｄ／３Ｄ混合画像表示モードのいずれかの表示モードに応じて、複数ある当該発光素子の任意の数量の発光素子を駆動させ供給光量を制御するものである請求項１に記載のバックライトモジュール。
【請求項３】
前記表示パネルが３Ｄ画像表示モード、２Ｄ／３Ｄ混合画像表示モードのいずれかの表示モードで画像を表示するとき、前記発光ユニットを構成する複数の発光素子から、３Ｄ画像を表示する領域に対し、２Ｄ画像に必要とする光量以上の光量供給を行うものである請求項１又は請求項２のいずれかに記載のバックライトモジュール。
【請求項４】
３Ｄ画像表示モード又は２Ｄ／３Ｄ混合画像表示モードでの前記発光ユニットからのトータル供給光量は、２Ｄ画像表示モードでの前記発光ユニットからのトータル供給光量より多いものとして制御する請求項１〜請求項３のいずれかに記載のバックライトモジュール。
【請求項５】
前記発行ユニットからの供給光量の制御は、前記制御ユニットからの電圧信号又は電流信号を発光ユニットへ伝送し制御するものである請求項１〜請求項４のいずれかに記載のバックライトモジュール。
【請求項６】
直下型バックライトモジュールである請求項１〜請求項５のいずれかに記載のバックライトモジュール。
【請求項７】
バックライトモジュール、表示パネル、開口制御部を少なくとも含むディスプレイ装置であって、
請求項１〜請求項６のいずれかに記載のバックライトモジュールを用い、表示パネルの３Ｄ画像を表示する領域への供給光量を、２Ｄ画像を表示する領域への供給光量より多いものとすることを特徴とする２Ｄ／３Ｄディスプレイ装置。
【請求項８】
前記表示パネルは、第１画像表示領域と第２画像表示領域とを備え、２Ｄ画像表示モード、３Ｄ画像表示モード、２Ｄ／３Ｄ混合画像表示モードのいずれかの表示モードとすることの可能な請求項７に記載の２Ｄ／３Ｄディスプレイ装置。
【請求項９】
前記表示パネルは、第１表示領域と第２表示領域とを含み、
画像表示モードが２Ｄ画像表示モードの場合には前記第１表示領域と第２表示領域との両領域で２Ｄ画像表示を行い、
画像表示モードが３Ｄ画像表示モードの場合には前記第１表示領域と第２表示領域との両領域で３Ｄ画像表示を行い、
画像表示モードが２Ｄ／３Ｄ混合画像表示モードの場合には第１表示領域又は第２表示領域のいずれかの領域で３Ｄ画像表示を行い、且つ、他方の領域で２Ｄ画像表示を行う請求項８に記載の２Ｄ／３Ｄディスプレイ装置。
【発明の詳細な説明】
【技術分野】
【０００１】
本発明は、バックライトモジュール及びに関する。特に、２Ｄ画像表示と３Ｄ画像表示との双方のモードでの使用可能なディスプレイ装置（以上及び以下において、単に「２Ｄ／３Ｄディスプレイ装置」と称する。）に好適なバックライトモジュールに関する。
【背景技術】
【０００２】
近年のディスプレイ装置には、２Ｄ画像表示と３Ｄ画像表示との双方のモードで使用可能なディスプレイ機能を備えたものが市場に提供されている。このような２Ｄ／３Ｄディスプレイ装置の層構成を図７に示している。この２Ｄ／３Ｄディスプレイ装置１は、表示パネル１０、２Ｄ／３Ｄスイッチングパネル１１、バックライトモジュール１２を含むものである。
【０００３】
２Ｄ画像表示を行おうとする場合のバックライトモジュールからの光の透過状態を、図８に模式的に示している。ここでは、２Ｄ／３Ｄスイッチングパネル１１が完全な透光領域ＴＡとなり、バックライトモジュールからの光を完全に透過させ、表示パネル１０に２Ｄ画像を表示する。よって、バックライトモジュール１２からの光のおよそ全てが、表示パネル１０に到達し、観察者である人間（ユーザー）の目に認識される。この結果、ユーザーの両眼は同じ画像を見ることになり、ユーザーの大脳に平面画像として知覚される。この平面画像が２Ｄ画像と呼ばれるのである。
【０００４】
これに対し、２Ｄ画像の画像表示素子を用いて３Ｄの立体画像を表示するには、非特許文献１にあるように、ディスプレイパネルを観察するユーザーの複数の視線方向からみたときの画像を、ディスプレイパネル面に合成して表示させ、ユーザーの視点位置に応じて対応する画像を選択的に視認させる光学的画像選択可能な多視点型の３Ｄ画像表示装置が提案されている。この３Ｄ画像表示方法は、その表示原理からインテグラルフォトグラフィ方式（又はインテグラルイメージング方式）と呼ばれるものである。これらの方式における３Ｄ立体画像は、複数の視点画像を単位情報毎に組み合わせ、空間的に並置した表示画像で構成されるものとなっている。
【０００５】
この３Ｄ画像表示方法は、特許文献１及び特許文献２から分かるように、ユーザーの視点に応じて対応する画像を選択的に視認させる原理（手段）として、画素に相当する画像表示素子をマトリクス状に配置した表示素子アレイを有する液晶ディスプレイ等の画像表示ユニットと、２次元配列されたピンホール、レンチキュラーレンズ等の開口制御するための光線方向制御素子を用いて、ユーザーの視点から見ると自然な３次元画像が得られる。
【０００６】
この３Ｄ画像表示の基本原理を、最も単純化して図９に示した。この透過型の３Ｄ画像表示ディスプレイには、光源、画像表示ユニット、開口制御部を少なくとも含む。そして、これらの配置は、光源（バックライトモジュール）／画像表示ユニット／開口制御部の順に配列されたり、光源（バックライトモジュール）／開口制御部／画像表示ユニットの順に配列され、視差画像を構成する光の放出を行い３Ｄ画像を発生させる。
【０００７】
図９において、表示パネル１０が３Ｄ画像表示モードで画像を表示する場合には、開口制御部に相当する２Ｄ／３Ｄスイッチングパネル１１は、バリア状の複数のブラック領域ＢＡと複数の透光領域ＴＡを含む状態となる。このとき、２Ｄ／３Ｄスイッチングパネル１１のブラック領域ＢＡは、バックライトモジュール１２から放射された光の一部を遮蔽するものとして機能する。その結果、光の直進するという性質から、ユーザーの両眼は、片眼毎に異なる画像を見るようにすることが出来る。なお、図９における“Ｒ”は、右眼で見た表示パネル１０の画像を意味し、“Ｌ”は左眼で見た表示パネル１０の画像を意味する。このように右眼と左眼との見る画像が異なるため、その画像情報が人間の脳内で再編成され、一つの３Ｄ画像として認識されるのである。即ち、光線方向を限定する２Ｄ／３Ｄスイッチングパネルとディスプレイパネルとのサイズ、配置位置の等の設定、２Ｄ／３Ｄスイッチングパネルの開口部を通過する光線方向に対応する単位情報を各画素に割り当てることによって、複数の異なる視点から観測した画像情報を含む３Ｄ立体画像の表示が行われるのである。この表示手法は、３Ｄ画像観察用の眼鏡を用いる必要の無い３Ｄ画像表示方式としての利点がある。
【０００８】
【非特許文献１】Ｈ．  Ｈｏｓｈｉｎｏ，  Ｆ．  Ｏｋａｎｏ，  Ｈ．  Ｉｓｏｎｏ  ａｎｄ  Ｉ．  Ｙｕｙａｍａ  “Ａｎａｌｙｓｉｓ  ｏｆ  ｒｅｓｏｌｕｔｉｏｎ  ｌｉｍｉｔａｔｉｏｎ  ｏｆ  ｉｎｔｅｇｒａｌ  ｐｈｏｔｏｇｒａｐｈｙ”，  Ｊ．  Ｏｐｔ．  Ｓｏｃ．  Ａｍ，  Ａ１５  （１９９８）  ２０５９−２０６５．
【特許文献１】特開平１０−２３９７８５号公報
【特許文献２】特開２００１−５６４５０号公報
【発明の開示】
【発明が解決しようとする課題】
【０００９】
しかしながら、従来の２Ｄ／３Ｄディスプレイ装置の場合、２Ｄ画像表示モードと３Ｄ画像表示モードとのいずれの場合でも、一つのバックライトモジュールを使用し、同じ輝度の光を発光せざるを得なかった。
【００１０】
その結果、図９に示したように、表示パネル１０が３Ｄ画像表示を行う場合には、２Ｄ／３Ｄスイッチングパネル１１のブラック領域ＢＡが、バックライトモジュール１２からの光の一部を遮蔽するため、図８に示した２Ｄ画像表示の場合と比べて、表示パネル１０を透過する光量は少なくなる。そのため、常に同一の光量のバックライトを使用する限り、２Ｄ画像表示モードの場合に比べ、３Ｄ画像表示モードの方が、視認できる画像の輝度が低くなり、暗い画像となる。また、インテグラルフォトグラフィ方式を採用した３次元画像表示装置では、視域が狭くなる欠点があるため、３Ｄ画像の結像領域が狭く絶対的光量が少なくなり、正画像と偽画像が混在して視認される領域が広くなる問題がある。特に、ディスプレイモードを、２Ｄ画像表示モードから３Ｄ画像表示モードに切り換えたときには、画像の輝度の変化が顕著に認識され、３Ｄ画像の品質が著しく劣るように感じられ、３Ｄ画像表示の普及の障害となっている。
【００１１】
そこで、２Ｄ／３Ｄディスプレイ装置の、２Ｄ画像表示モードから３Ｄ画像表示モードへの画像モード切替を行ったときも、顕著な輝度の低下を起こさないバックライトモジュール及びそのバックライトモジュールを用いたディスプレイ装置が求められてきた。
【課題を解決するための手段】
【００１２】
そこで、本件発明者等は、鋭意研究の結果、発光ユニットと制御ユニットとを含むバックライトモジュールを用いて、光を表示パネルに供給する当該発光ユニットの発光パターンを改良することで、上記課題を解決することに想到した。以下、本件発明の内容に関して概説する。
【００１３】
本件発明に係るバックライトモジュール：  本件発明に係るバックライトモジュールは、ディスプレイ装置の表示パネルに用いるバックライトモジュールであって、前記バックライトモジュールは、前記表示パネルに光を供給する発光ユニット、発光ユニットからの光量を調節する制御ユニットを含み、２Ｄ画像表示モード、３Ｄ画像表示モード、２Ｄ／３Ｄ混合画像表示モードのいずれかの表示モードに応じて、前記制御ユニットにより前記発光ユニットからの供給光量を任意に制御することを特徴とする点に特徴を有する。
【００１４】
ここで言う「光量」とは、バックライトモジュールの発光ユニットの発光輝度を変化させることなく発光素子数を増加させた場合、バックライトモジュールの発光ユニットの発光素子数を変えることなく発光輝度を上昇させた場合の光としての強弱を意味する言葉として用いている。この光量が変化すると、表示パネルを観察する人間の視覚において認識される画像の輝度（明るさ）に変化をもたらすものであり、「輝度」と表現しても良いものである。また、３Ｄ画像表示モードとは、表示パネルの全面に３Ｄ画像を表示する場合、２Ｄ画像と３Ｄ画像とを同時に表示する場合（「２Ｄ／３Ｄ混合画像表示」と称する。）との双方を含む概念として記載している。更に、２Ｄ／３Ｄ混合画像表示モードとは、表示パネルの一部の領域に３Ｄ画像を表示して他の表示領域には２Ｄ画像が表示される場合を言う。
【００１５】
本件発明に係るバックライトモジュールにおける前記発光ユニットは、複数の発光素子を含み、２Ｄ画像表示モード、３Ｄ画像表示モード、２Ｄ／３Ｄ混合画像表示モードのいずれかの表示モードに応じて、複数ある当該発光素子の任意の数量の発光素子を駆動させ供給光量を制御するものである。即ち、当該発光ユニットの発光素子は、画素に対応するものとして、マトリックス状に配置される。そして、２Ｄ画像表示モードの場合には表示パネルの全面を用いて画像表示を行い。３Ｄ画像表示の場合には、表示パネルの一部の領域に３Ｄ画像を表示して他の表示領域には２Ｄ画像が表示されるか、表示パネルの全面に３Ｄ画像表示を行うかの手段が採用される。従って、２Ｄ又は３Ｄの画像表示モードに応じて、複数ある当該発光素子の任意の数量の発光素子を駆動させ供給光量を制御するのである。
【００１６】
本件発明に係るバックライトモジュールにおいて、３Ｄ画像表示モード又は２Ｄ／３Ｄ混合画像表示モードでの前記発光ユニットからのトータル供給光量は、２Ｄ画像表示モードでの前記発光ユニットからのトータル供給光量より多いものとして制御するものである。これは、上述のように、３Ｄ画像表示の場合には、表示パネルの一部の領域に３Ｄ画像を表示して他の表示領域には２Ｄ画像が表示されるか、表示パネルの全面に３Ｄ画像表示を行うかの手段が採用されるが、３Ｄ画像表示の場合には、開口制御部が部分的に不透光部と透光部とのある層となるため、透過光量が少なくなり、画像輝度が落ちるために、その画像輝度を２Ｄ画像の輝度に近づけるための手段である。
【００１７】
本件発明に係るバックライトモジュールにおいて、前記発光ユニットを構成する複数の発光素子は、前記表示パネルの第２画像表示領域に対し、第１画像表示領域に供給する供給光量を超える光量供給可能な発光素子を配置することが好ましい。即ち、表示パネルが、第１画像表示領域と第２画像表示領域とを分別し、これらの画像を同時に表示パネルに表示する際に、第２画像表示領域への供給光量を、第１画像表示領域への供給光量よりも多くして、第２画像表示領域と第１画像表示領域との双方の画像の輝度の差を小さくするのである。
【００１８】
そして、前記発行ユニットからの供給光量の制御は、前記制御ユニットからの電圧信号又は電流信号を発光ユニットへ伝送し制御することが好ましい。このようにして、発光ユニットの発光輝度を調整するのである。
【００１９】
本件発明に係るバックライトモジュールは、種々のバックライト種別がある中でも、直下型バックライトモジュールに適用することが容易で好ましい。
【００２０】
上述の本件発明に係るバックライトモジュールは、その制御ユニットは、発光ユニットと接続して用いられる。そして、表示パネルに、２Ｄ画像表示モードで２Ｄ画像表示を行わせようとするときには、２Ｄ画像表示に適した光量（以下、「２Ｄ画像表示光量」）の光を放射して、２Ｄ画像表示に適正な輝度の画像を得る。一方では、３Ｄ画像表示モードで３Ｄ画像表示を行わせようとするときには、３Ｄ画像表示に適した光量（以下、「３Ｄ画像表示光量」）の光を放射して、３Ｄ画像表示に適正な輝度の画像を得ることが出来るのである。
【００２１】
本件発明に係る２Ｄ／３Ｄディスプレイ装置：  本件発明に係る２Ｄ／３Ｄディスプレイ装置は、バックライトモジュール、表示パネル、開口制御部を少なくとも含むディスプレイ装置であって、上述の本件発明に係るいずれかのバックライトモジュールを用い、第２画像表示領域への供給光量を、第１画像表示領域への供給光量より多いものとすることを特徴としたものである。
【００２２】
本件発明に係る２Ｄ／３Ｄディスプレイ装置において、前記表示パネルは第１画像表示領域と第２画像表示領域とを備え、２Ｄ画像表示モード、３Ｄ画像表示モード、２Ｄ／３Ｄ混合画像表示モードのいずれかの表示モードとすることが可能なようにする事が好ましい。
【００２３】
そして、本件発明に係る２Ｄ／３Ｄディスプレイ装置の前記表示パネルは、第１表示領域と第２表示領域とを含み、画像表示モードが２Ｄ画像表示モードの場合には前記第１表示領域と第２表示領域との両領域で２Ｄ画像表示を行い、画像表示モードが３Ｄ画像表示モードの場合には前記第１表示領域と第２表示領域との両領域で３Ｄ画像表示を行い、画像表示モードが２Ｄ／３Ｄ混合画像表示モードの場合には第１表示領域又は第２表示領域のいずれかの領域で３Ｄ画像表示を行い、且つ、他方の領域で２Ｄ画像表示を行うことが好ましい。
【発明の効果】
【００２４】
本発明に係るバックライトモジュールは、２Ｄ画像表示モードと３Ｄ画像表示モードとで得られる画像の輝度の差を少なくする。即ち、この本件発明に係るバックライトモジュールは、２Ｄ画像表示、３Ｄ画像表示、２Ｄ／３Ｄ混合画像表示の各モードに対応して、３Ｄ画像表示を行う領域に、２Ｄ画像表示領域以上の光を供給できる。この結果、２Ｄ画像に比べて輝度の劣る３Ｄ画像の明るさを向上させることが出来る。しかも、表示パネルの全面に３Ｄ画像を表示させるときも画像輝度を高くすることが容易である。これらのことから、この本件発明に係るバックライトモジュールは、２Ｄ画像表示、３Ｄ画像表示、２Ｄ／３Ｄ混合画像表示の各モードで画像表示を行う２Ｄ／３Ｄディスプレイ装置のバックライトとして好適である。
【発明を実施するための最良の形態】
【００２５】
以下、本件発明の内容が、より一層明確に理解出来るように、以下に実施形態を例示し、図面を参照にしながら、詳細に説明する。
【００２６】
本件発明に係るバックライトモジュールの第１実施形態：  本件発明に係るバックライトモジュールの一実施形態を図１に示す。ここでバックライトモジュール４２は、発光ユニット４２０、制御ユニット４２１と、導光板４２２を含むものとして模式的に記載している。このバックライトモジュール４２は、図７のディスプレイ装置に対して利用することができる。即ち、図１に示すバックライトモジュール４２は、図７のバックライトモジュール１２として用いるのである。この図１におけるバックライトモジュール４２は、サイドエッジ型バックライトモジュールをイメージして記載したものである。なお、図１は、同一の発光ユニットを用いて、２Ｄ画像表示モード（図１（ａ））から３Ｄ画像表示モード（図１（ｂ））への切り替えを行ったときの制御方法の概念が捉えられるように示したものである。
【００２７】
従って、発光ユニット４２０は、導光板４２２の一端側に配置され、導光板４２２によって、２Ｄ／３Ｄスイッチングパネル１１（図１での図示は省略）に光を供給することになる。ここで、表示パネル１０が２Ｄ画像表示モードで２Ｄ画像を表示する場合、制御ユニット４２１は、２Ｄ画像を表示するための電圧Ｖ１を発光ユニット４２０に供給し駆動させ、発光ユニット４２０は２Ｄ画像表示するための光量の光を発光する。そして、表示パネル１０が３Ｄ画像表示モードで画像を表示する場合には、制御ユニット４２１が２Ｄ画像を表示するための電圧Ｖ１より高い電圧Ｖ２を発光ユニット４２０に供給し駆動させることで発光ユニット４２０は、３Ｄ画像表示するための光量の光を発光する。このように、発光ユニット４２０への電圧Ｖ２を電圧Ｖ１より高く設定することで、３Ｄ画像表示モードでの３Ｄ画像表示光量は、２Ｄ画像表示モードでの２Ｄ画像表示光量より大きくすることができる。
【００２８】
また、ここで言う発光ユニット４２０は、電流制御で駆動する装置と考えることも出来る。即ち、表示パネル１０が２Ｄ画像表示モードで２Ｄ画像を表示する場合、制御ユニット４２１は、２Ｄ画像を表示するための電流Ｉ１を発光ユニット４２０に供給し駆動させ、発光ユニット４２０は２Ｄ画像表示するための光量の光を発光する。そして、表示パネル１０が３Ｄ画像表示モードで画像を表示する場合には、制御ユニット４２１が２Ｄ画像を表示するための電流Ｉ１より高い電流Ｉ２を発光ユニット４２０に供給し駆動させることで発光ユニット４２０は、３Ｄ画像表示するための光量の光を発光する。このように、発光ユニット４２０への電流Ｉ２を電流Ｉ１より高く設定することで、３Ｄ画像表示モードでの３Ｄ画像表示光量は、２Ｄ画像表示モードでの２Ｄ画像表示光量より大きくすることができる。
【００２９】
以上のような制御方法では、２Ｄ画像表示モードの場合であり、表示パネルの全面を用いて画像表示を行う場合には、発光素子からの放射光の輝度を２Ｄ画像表示レベルの輝度に保つ。３Ｄ画像表示の場合であり、表示パネルの一部の領域に３Ｄ画像を表示して他の表示領域には２Ｄ画像が表示する場合（２Ｄ／３Ｄ混合画像表示）には、３Ｄ画像表示領域に対応する発光素子からの放射光の輝度のみを高く３Ｄ画像表示レベルにする。そして、３Ｄ画像表示の場合であり、表示パネルの全面に３Ｄ画像表示を行うときは、複数ある発光素子からの放射光の全てを３Ｄ画像表示レベルの高い輝度に維持する。
【００３０】
上述のような、本件発明に係るバックライトモジュールは、表示パネル１０が３Ｄ画像表示モードで画像を表示する場合に、ディスプレイパネルの、図８に示した如き２Ｄ／３Ｄスイッチングパネル１１のブラック領域ＢＡがバックライトモジュール４２からの放射光の一部を遮蔽しても、バックライトモジュール４２によって供給される光量（輝度）を、３Ｄ画像表示モードに適したものとすることが可能で、従来の３Ｄ画像表示モードと比べ、高輝度の３Ｄ画像表示を可能とする。
【００３１】
本件発明に係るバックライトモジュールの第２実施形態：  また、他の実施形態に関して説明する。発光ユニットは、通常、画素に対応する複数の発光素子によって構成され、これらは発光ユニット内でマトリックス状に配置される。この状態を断面図として、図２に模式的に示した。図２のバックライトモジュール５２は、発光ユニット５２０、制御ユニット５２１と、導光板５２２を含むものであり、その発光ユニット５２０は、複数の発光素子Ｄ５１〜Ｄ５５を含むものとして記載している。ここで、複数の発光素子は、Ｄ５１〜Ｄ５５と記載しているが、この発光素子の数に特段の制限は無いことを明記しておく。また、ここで言うバックライトモジュール５２も、サイドエッジ型バックライトモジュールをイメージして記載したものである。更に、図２は、同一の発光ユニットを用いて、２Ｄ画像表示モード（図２（ａ））から３Ｄ画像表示モード（図２（ｂ））への切り替えを行ったときの制御方法の概念が捉えられるように示したものである。
【００３２】
従って、発光ユニット５２０は、導光板５２２の一端側に配置され、導光板５２２によって、２Ｄ／３Ｄスイッチングパネル１１（図２での図示は省略）に光を供給することになる。そして、発光ユニット５２０が、制御ユニット５２１によって駆動制御される複数の発光素子Ｄ５１〜Ｄ５５を含む構成となっている。ここで、表示パネル１０が２Ｄ画像表示モードで２Ｄ画像を表示する場合に関して例示的に述べる。例えば、２Ｄ画像を表示する場合に制御ユニット５２１は、図２（ａ）に示すように発光素子Ｄ５１〜Ｄ５５の内、Ｄ５１、Ｄ５３、Ｄ５５の発光素子のみを駆動させ発光させる。そして、発光素子Ｄ５１、Ｄ５３、Ｄ５５から得られた光量が、発光ユニット５２０から２Ｄ画像表示光量として導光板５２２に向けて放射される。そして、表示パネル１０が３Ｄ画像表示モードで画像を表示する場合、図２（ｂ）に示すように制御ユニット５２１は発光素子Ｄ５１〜Ｄ５５の全てを駆動させる。そして、発光素子Ｄ５１〜Ｄ５５から得られた光量が、発光ユニット５２０から３Ｄ画像表示光量として導光板５２２に向けて放射される。
【００３３】
以上のような制御方法では、２Ｄ画像表示モードの場合であり表示パネルの全面を用いて画像表示を行う場合には、図２（ａ）に示したような状態で発光素子からの放射光の輝度を２Ｄ画像表示レベルの輝度に保つ。３Ｄ画像表示の場合であり、表示パネルの一部の領域に３Ｄ画像を表示して他の表示領域には２Ｄ画像が表示する場合には、第２画像表示領域に対応する発光素子のみを全て発光させ、当該領域に対する放射光の輝度のみを高く３Ｄ画像表示レベルにする。そして、３Ｄ画像表示の場合であり、表示パネルの全面に３Ｄ画像表示を行うときは、複数ある発光素子の全てからの放射光を得て３Ｄ画像表示レベルの高い輝度に維持する。この結果、３Ｄ画像表示を行うときの、２Ｄ／３Ｄスイッチングパネル１１に不透光領域であるブラック領域ＢＡが存在しても、得られる３Ｄ画像の輝度が、従来の３Ｄ画像の輝度よりも高くなる。
【００３４】
この第２実施形態で言うバックライトモジュールの制御方法を、より具体的に示すこととする。このため、図３に示すような層構成で積層した状態のディスプレイ装置６を製造すると仮定する。この図３において、ディスプレイ装置６は、表示パネル６０、２Ｄ／３Ｄスイッチングパネル６１、バックライトモジュール６２から構成されたものとして記載している。そして、この図３の表示パネル６０には、第１画像表示領域Ａ１と第２画像表示領域とを典型的な状態で配置したものを例示的に示している。
【００３５】
図３に示すようなディスプレイ装置６の発光形態を、２Ｄ画像表示モードの場合であり表示パネルの全面を用いて画像表示を行う場合（発光モード１）、３Ｄ画像表示の場合であり、表示パネルの一部の領域に３Ｄ画像を表示して他の表示領域には２Ｄ画像を表示する場合（発光モード２）、表示パネルの全面に３Ｄ画像表示を行う場合（発光モード３）の各々の場合に分けて具体的に説明する。図４〜図６を用いて説明する。
【００３６】
発光モード１に関して説明する。図４には、図３のディスプレイ装置６を構成するバックライトモジュール６２を抽出して模式的に記載している。図４に示したバックライトモジュール６２は、直下型バックライトモジュールを意図して記載したものであり、発光ユニット６２０、制御ユニット６２１を含み、当該発光ユニットの中には制御ユニット６２１によって駆動制御される複数の発光素子Ｄ６１〜Ｄ６９を含む構成を備える。ここで、図３と図４とを対比することで明らかとなるように、画素と同様に機能する発光素子Ｄ６１〜Ｄ６４及びＤ６６〜Ｄ６９は、図３の第１画像表示領域Ａ１に対応し、発光素子Ｄ６５が第２画像表示領域Ａ２に対応することをイメージして記載している。
【００３７】
発光モード１の場合、表示パネル６０が２Ｄ画像表示モードで２Ｄ画像の表示を行うのであり、第１画像表示領域Ａ１と第２画像表示領域Ａ２での双方で、２Ｄ画像を表示する。従って、図４に示すように、制御ユニット６２１は、２Ｄ画像表示電圧で発光素子Ｄ６１〜Ｄ６９を駆動させる。その結果、発光素子Ｄ６１〜Ｄ６９のそれぞれは、２Ｄ画像表示を行うのに必要な光を放射する。この時、発光ユニット６２０に含まれた全ての発光素子Ｄ６１〜Ｄ６９それぞれの発光輝度は同じであり、２Ｄ画像表示に適した光量を得る。
【００３８】
発光モード２の場合、表示パネル６０が２Ｄ画像と３Ｄ画像とを同時に表示するのであり、第１画像表示領域Ａ１で２Ｄ画像を表示し、第２画像表示領域Ａ２で３Ｄ画像を表示する。従って、図５に示すように、制御ユニット６２１は、２Ｄ画像表示電圧で発光素子Ｄ６１〜Ｄ６４とＤ６６〜Ｄ６９を駆動させ、発光素子Ｄ６１〜Ｄ６４とＤ６６〜Ｄ６９のそれぞれがは、２Ｄ画像表示を行うのに必要な光を放射する。これに対し、３Ｄ画像を表示する領域に相当する発光素子Ｄ６５には、制御ユニット６２１から２Ｄ画像表示電圧よりも高い３Ｄ画像表示電圧を供給して駆動させ、２Ｄ画像表示を行うのに必要な輝度を超える高い、３Ｄ画像表示に適した輝度の光を放射させる。従って、発光モード１と比べると、発光素子Ｄ６５の輝度が高くなっているため、発光モード１の発光素子Ｄ６１〜Ｄ６９のトータル光量（トータル輝度）と比べ、発光モード２の発光素子Ｄ６１〜Ｄ６９のトータル光量（トータル輝度）は高く、３Ｄ画像表示に適したものとなる。
【００３９】
発光モード３の場合、表示パネル６０の全面で、３Ｄ画像表示モードで３Ｄ画像の表示を行うのであり、第１画像表示領域Ａ１と第２画像表示領域Ａ２での双方で、３Ｄ画像を表示する。従って、図６に示すように、制御ユニット６２１は、３Ｄ画像表示電圧で発光素子Ｄ６１〜Ｄ６９を駆動させる。その結果、発光素子Ｄ６１〜Ｄ６９のそれぞれは、３Ｄ画像表示を行うのに必要な光を放射する。この時、発光ユニット６２０に含まれた全ての発光素子Ｄ６１〜Ｄ６９それぞれの発光輝度は同じであり、表示パネル６０の全面で３Ｄ画像表示に適した光量を得ることが出来る。従って、発光モード１、発光モード２の発光素子Ｄ６１〜Ｄ６９のトータル光量（トータル輝度）と比べても、発光モード３の発光素子Ｄ６１〜Ｄ６９のトータル光量（トータル輝度）は高く、表示パネル６０の全面での３Ｄ画像表示に適したものとなる。
【００４０】
図４〜図６を用いた説明では、発光素子Ｄ６１〜Ｄ６９は、電圧制御で輝度を調整する場合に関して述べたが、上述のように電流量を変化させて発光輝度の調整を行う、電流制御を採用しても良い。この意味合いは、制御ユニット６２１から発光素子に対して、電流信号を送り、電流の大小に応じて、発光素子Ｄ６１〜Ｄ６９の発光レベルを調整制御するという意味である。
【００４１】
なお、以上に述べてきた発光素子を緻密且つ微細に配置することで、発光ユニット６２０の中の発光素子の発光パターンを調整することで、３Ｄ画像を得るための開口制御部（２Ｄ／３Ｄスイッチングパネル６１）と同様の効果を得ることも可能となる。
【００４２】
本件発明に係るディスプレイ装置の実施形態：  以上に述べてきたバックライトモジュールを用いることで、高品質の２Ｄ／３Ｄディスプレイ装置の提供が可能となる。図３に示すような層構成で積層した状態で、ディスプレイ装置６は製造される。この図３において、ディスプレイ装置６は、表示パネル６０、２Ｄ／３Ｄスイッチングパネル６１、バックライトモジュール６２から構成されたものとして記載している。そして、この図３の表示パネル６０には、第１画像表示領域Ａ１と第２画像表示領域Ａ２とを典型的な状態で配置したものを例示的に示している。第１画像表示領域Ａ１と第２画像表示領域Ａ２との領域を用いて、通常の２Ｄ画像と輝度の高い３Ｄ画像を任意に映し出すことが可能となる。
【００４３】
以上、本発明の好適な実施例を例示したが、これは本発明を限定するものではなく、本発明の技術的思想及び等価の範囲を逸脱しない限りにおいては、当業者であれば行い得る多少の変更や要素付加することは可能である。
【産業上の利用可能性】
【００４４】
本発明に係るバックライトモジュールは、２Ｄ画像表示モードと３Ｄ画像表示モードとで得られる画像の輝度の差を少なくすることができるため、３Ｄ画像の画像品質を飛躍的に高めることが出来る。しかも、本発明に係るバックライトモジュールの構成は、複雑なものではなく、製造コストも飛躍的に上昇するものではなく、工業生産の観点から見た経済性にも優れ、安価な製品として市場に供給可能である。その結果、３Ｄ画像の品質が向上するため、従来２Ｄ画像で表示されていた動画ソフト等を３Ｄ画像ソフトとして普及させることも容易となる。
【００４５】
また、本件発明に係るバックライトモジュールは、２Ｄ画像表示、３Ｄ画像表示、２Ｄ／３Ｄ混合画像表示の各モードに対応して、３Ｄ画像表示を行う領域に、２Ｄ画像表示領域以上の光量の光を供給できる。即ち、バックライトから画像モードに応じた光量の供給が可能で、従来の２Ｄ／３Ｄディスプレイ装置を用いた画像表示のバックライトとして好適であり、高品質のディスプレイ装置の提供を可能とする。
【図面の簡単な説明】
【００４６】
【図１】本発明に係るバックライトモジュールの一実施形態を表す模式図である。
【図２】本発明に係るバックライトモジュールの一実施形態を表す模式図である。
【図３】本発明に係るディスプレイ装置の一実施形態を表す模式図である。
【図４】ディスプレイ装置に用いるバックライトモジュールの制御概念を表す模式図である。
【図５】ディスプレイ装置に用いるバックライトモジュールの制御概念を表す模式図である。
【図６】ディスプレイ装置に用いるバックライトモジュールの制御概念を表す模式図である。
【図７】従来の２Ｄ／３Ｄディスプレイ装置を表す模式図である。
【図８】２Ｄ画像の表示原理を示す模式図である。
【図９】３Ｄ画像の表示原理を示す模式図である。
【符号の説明】
【００４７】
１、６  ディスプレイ装置
１０、６０  表示パネル
１１、６１  ２Ｄ／３Ｄスイッチングパネル
１２、４２、５２、６２  バックライトモジュール
４２０、５２０、６２０  発光ユニット
４２１、５２１、６２１  制御ユニット
４２２、５２２  導光板
ＢＡ  ブラック領域
Ｄ５１〜Ｄ５５、Ｄ６１〜Ｄ６９  発光素子
ＴＡ  透光領域
【図１】
2006228723.tif 000003
【図２】
2006228723.tif 000004
【図３】
2006228723.tif 000005
【図４】
2006228723.tif 000006
【図５】
2006228723.tif 000007
【図６】
2006228723.tif 000008
【図７】
2006228723.tif 000009
【図８】
2006228723.tif 000010
【図９】
2006228723.tif 000011